(57)【要約】      （修正有）【課題】操作部材を内召合わせ框の室内側の面に沿ってスライド移動によって施錠操作することができ、内召合わせ框の内側への張り出しを小さく抑えることができる、操作性、意匠性、及び防犯性に優れた施錠装置を有する開口部装置を提供する。【解決手段】内召合わせ框の室内側の面に沿って移動される操作部材５５を設け、該操作部材を操作することにより、鍵片５２が内召合わせ框内から突没するとともに、外召合わせ框内の鍵受けに係合離脱される開口部装置であって、鍵本体５０は、操作部材の直線運動を回転運動に変換する、第一歯車列７０，８４，８２，９４及び第一歯車列より減速比の大きな第二歯車列７０，８４，９２を備え、鍵片５２が内召合わせ框内から突没する段階においては、操作部材の動作が第一歯車列を介して鍵片５２に伝えられ、鍵片５２が鍵受けに係合離脱する段階では、操作部材の動作が第二歯車列を介して鍵片５２に伝えられる。【選択図】      図７
2006118135.tif 000002
【特許請求の範囲】
【請求項１】
四辺の枠体と、この枠体内に配置された複数の障子とを備えるとともに、前記複数の障子のうち少なくとも１枚の障子は左右方向に移動可能に構成されており、
室内側障子の内召合わせ框内に設けられた鍵本体、この鍵本体に設けられた鍵片、及び室外側障子の外召合わせ框内に設けられた鍵受けを備え、
前記内召合わせ框の室内側の面に沿って移動される操作部材を設け、該操作部材を操作することにより、前記鍵片が前記内召合わせ框内から突没するとともに、前記外召合わせ框内の鍵受けに係合離脱される開口部装置であって、
前記鍵本体は、前記操作部材の直線運動を回転運動に変換する、第一歯車列及び前記第一歯車列より減速比の大きな第二歯車列を備え、
前記鍵片が前記内召合わせ框内から突没する段階においては、前記操作部材の動作が前記第一歯車列を介して前記鍵片に伝えられ、
前記鍵片が前記鍵受けに係合離脱する段階では、前記操作部材の動作が前記第二歯車列を介して前記鍵片に伝えられることを特徴とする開口部装置。
【発明の詳細な説明】
【技術分野】
【０００１】
本発明は、サッシ等の開口部装置に関し、特に、防犯性が高く、操作性及び意匠性に優れた施錠装置を有する開口部装置に関する。
【背景技術】
【０００２】
一般的な建物の開口部装置においては、施錠装置は、障子の召合わせ框の側面に取り付けられていることが多い。このような場合、施錠の有無、及び施錠装置の位置を、室外側から容易に確認することができ、防犯上問題があった。
【０００３】
特許文献１には、防犯性が高く、デザイン性に優れたサッシ窓の施錠装置を提供すべく、内障子の内召合わせ框の内部に格納された鍵本体と、外障子の外召合わせ框に設けられた鍵受けとからなるサッシ窓の施錠装置が記載されている。この施錠装置は、鍵本体の操作部としてレバーを備え、このレバーを下から上へ押し上げることによって鍵本体が支軸の周りを回動して、施錠が行われる構造となっている。
【０００４】
また、特許文献２には、框の見付け面に沿って上下方向にスライドするスライダーを有し、このスライダーの移動によって歯車を回転させて施錠する施錠装置が記載されている。
【特許文献１】特開２００３−３７１６号公報
【特許文献２】特開平８−１４４６０９号公報
【発明の開示】
【発明が解決しようとする課題】
【０００５】
特許文献１に記載されているような、防犯性を有する施錠装置において、さらに意匠性を高め、室内側からの施錠の操作性の向上をはかるべく、内召合わせ框の室内側の面に操作部材を設けて、この操作部材を室内面に沿って上下に平行にスライド移動することによって、施錠操作ができるような開口部装置が求められている。
【０００６】
このような上下移動による操作機構として、特許文献２に記載のような施錠装置が開示されているが、特許文献２に開示されているのは、掛け部を受け部に係合させて施錠を行うカマ錠として使用することができる装置であって、この装置を係合時、特に、外障子を内障子側に引き寄せる際に、大きな力が必要であるクレセント錠に直接適用することは困難である。
【０００７】
また、意匠上の観点から、内召合わせ框の室内方向への張り出しをできるだけ小さくしたいという要求があるが、特許文献１に開示されている施錠装置は、レバー部を回動することによって施錠する構造であり、内召合わせ框は、このレバー部の回動運動を収容するだけの空間を必要とするため、室内側への張り出しを小さく抑えるには限界があった。
【０００８】
そこで、本発明は、操作部材を内召合わせ框の室内側の面に沿ってスライド移動によって施錠操作することができ、内召合わせ框の内側への張り出しを小さく抑えることができる、操作性、意匠性、及び防犯性に優れた施錠装置を有する開口部装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
本発明は、四辺の枠体（１０）と、この枠体内に配置された複数の障子とを備えるとともに、前記複数の障子のうち少なくとも１枚の障子は左右方向に移動可能に構成されており、室内側障子（２０）（以下、「内障子２０」ということがある。）の内召合わせ框（２２）内に設けられた鍵本体（５０）、この鍵本体に設けられた鍵片（５２）、及び室外側障子（３０）（以下、「外障子３０」ということがある。）の外召合わせ框（３２）内に設けられた鍵受け（６０）を備え、内召合わせ框の室内側の面に沿って移動される操作部材（５５）を設け、該操作部材を操作することにより、鍵片が内召合わせ框内から突没するとともに、外召合わせ框内の鍵受けに係合離脱される開口部装置であって、鍵本体は、操作部材の直線運動を回転運動に変換する、第一歯車列（７０、８４、８２、９４）、及び第一歯車列より減速比の大きな第二歯車列（７０、８４、９２）を備え、鍵片が内召合わせ框内から突没する段階においては、操作部材の動作が第一歯車列を介して鍵片に伝えられ、鍵片が鍵受けに係合離脱する段階では、操作部材の動作が第二歯車列を介して鍵片に伝えられることを特徴とする開口部装置（１００）を提供するものである。
【発明の効果】
【００１１】
本発明によれば、内召合わせ框の室内側の面に沿ったスライド移動によって施錠操作することができ、内召合わせ框の内側への張り出しを小さく抑えることができる。また、鍵片が内召し合わせ框から突没する段階、すなわち大きな操作力を必要としない段階においては、操作部材に与えられる操作力は減速比の小さな第一歯車列を介して鍵片に伝えられ、鍵片が鍵受けと係合離脱することにより、外障子が内障子側に引き寄せられる段階、すなわち大きな操作力を必要とする段階では、操作部材に与えられる操作力は減速比の大きな第二歯車列を介して鍵片に伝えられる。従って、操作部材にほぼ一定の力で操作力を与えつつ、鍵片の内召し合わせ框からの突没、及び鍵片と鍵受けとの係合離脱を円滑に行うことができる。よって、操作性、意匠性及び防犯性に優れた開口部装置とすることができる。
【発明を実施するための最良の形態】
【００１２】
以下本発明を図面に示す実施形態に基づき説明する。
本発明の開口部装置１００は、四辺の枠体１０と、この枠体内に配置された複数の障子と、施錠装置４０とを備えている。障子としては、典型的には、内障子２０および外障子３０からなる左右二枚の引き違い障子を挙げることができるが、召合わせ框を有する障子であればよく、四枚障子等であってもよいし、あるいは、内障子または外障子のいずれかが固定されている片引き障子であってもよい。
【００１３】
図１は、本発明の一実施形態の開口部装置１００を室内側から見た斜視図である。図示した実施形態においては、左右二枚の内障子２０、及び外障子３０が、四辺の枠体１０内を左右方向に移動可能に構成されている。内障子２０、及び外障子３０における内召合わせ框２２、及び外召合わせ框３２には、施錠装置４０が設けられている。
【００１４】
図２は、施錠装置４０が取り付けられている部分の、内障子の内召し合わせ框２２、及び外障子の外召し合わせ框３２を拡大して示した斜視図である。図示した実施形態の施錠装置４０は、鍵本体５０（図６参照）、及び鍵受け６０（図４参照）を具備している。
【００１５】
鍵本体５０は内召合わせ框２２内に格納され、鍵受け６０は外召合わせ框３２内に格納されている。内召合わせ框２２の室内側の面２６には、鍵本体５０を操作するための操作窓４２が設けられている。また、操作窓４２には、意匠性の向上、及び防犯のための蓋材４４が設けられている。蓋材４４はその上部につまみ４５が設けられていて、このつまみ４５を室内側からつまんで、蓋材４４を上下に操作することにより、操作窓４２の開閉が行われる。操作窓４２が開放された状態において、上記鍵本体５０を室内側から操作することが可能となる。
【００１６】
蓋材４４の上部にはシリンダー錠４６が設けられている。シリンダー錠４６を施錠することにより、操作窓４２の開放はできなくなり、シリンダー錠４６を所持する者以外は、施錠装置４０の操作は不可能となるように構成されている。なお、本発明においてシリンダー錠４６の設置の有無は任意である。また、シリンダー錠に変えて、無線式の電子錠を設置しても良く、この場合には、防犯性に加えてさらに操作性も向上する。
【００１７】
図３は、鍵本体５０が内召合わせ框２２内に格納されている部分を拡大して示した、室外側からの斜視図である。内召合わせ框２２の室外側の面２４には、後に説明する鍵本体５０が有する鍵片５２を室外方向へ突出させるための窓部２８が設けられている。本発明の開口部装置１００においては、室内側から施錠操作をすることによって、この鍵片５２が窓部２８から室外側に突出し、外障子３０に設けられた鍵受け６０に係合されることにより、開口部装置１００の施錠がなされる。
【００１８】
図４は、外召合わせ框３２に鍵受け６０が格納されている部分を拡大して示した、室内側からの斜視図である。外召合わせ框３２の室内側の面３４には、鍵受け６０を室内側に露出する窓３５が設けられている。鍵受け６０には、見付け方向に略直角に折り曲げられた半円凸形状の係合部６２が設けられている。鍵受け６０は、上下に配置された固定金具６１ａ、６１ｂにより、外召合わせ框３２の内部に固定されている。鍵受け６０に設けられた係合部６２は、外召合わせ框３２の室内側の面３４から突出せずに、外召合わせ框３２内部に収まっている。本発明の開口部装置１００においては、使用者の施錠操作によって内召し合せ框２２内から突出してくる鍵本体５０の鍵片５２を、この窓３５から受け入れて、鍵片５２と鍵受け６０とが係合されることにより施錠がされる。
【００１９】
図５ａ、及び図５ｂは、上記の図２において、蓋材４４のつまみ４５を操作窓４２の下端まで引き下ろして、操作窓４２開けた状態を示した図である。操作窓４２を開けることにより、鍵本体５０の操作部材５５が室内側に露出して、視認、操作することができる。図示した実施形態においては、操作部材５５は、板状部材５６上に一体に形成された凸形状のつまみ５５である。この操作部材５５を図５ａの状態から図５ｂの状態へ、すなわち上から下へと引き下ろすと、後に説明する鍵本体５０が有する鍵片５２が、窓部２８から室外側へ突出し、外召し合わせ框３２の鍵受け６０と係合されて開口部装置１００の施錠がなされる。また、反対に、下から上へ移動させると、鍵片５２が窓部２８から内召合わせ框内に収納され、開錠されて、内障子２０、及び外障子３０の左右方向への移動が可能な状態となる。
【００２０】
図６は、内召合わせ框２２内に収納されている鍵本体５０を、図１の開口部装置１００の左側から見た側面図である。鍵本体５０は、ラックギアとして形成されている第一歯車７０、平歯車として形成されている第二歯車群８０、及び平歯車を略扇状に切り欠いた形状に形成された第三歯車群９０、及びカバー５９を有している。第二歯車群８０は、軸８５を介して、カバー５９に回転自在に取り付けられている。また、第三歯車群９０は、軸９５を介して、カバー５９に回転自在に取り付けられている。
【００２１】
第一歯車７０は、Ｌ字部材７２を介して、操作部５５を有する板状部材５６に固定されている。板状部材５６は、内召合わせ框２２の室内側の操作窓４２の面内に上下方向に摺動自在に取り付けられている。これにより、操作部５５を内召合わせ框２２の室内側の面２６に平行に上下に移動させて、第一歯車７０を上下に移動させることができる。
【００２２】
図７は、カバー５９を取り外した状態の鍵本体５０を図１の開口部装置１００の右側から見た側面図であり、開錠状態における鍵本体５０を示している。また、図８は、図７と同じ状態を図１の開口部装置１００の左側から見た側面図である。第一歯車７０は、上記の通りラックギアであり、その中央部において固定部材７４によりＬ字部材７２に固定されている。板状部材５６は、見付け面に平行な上下に長手方向を有する板状部材である。板状部材５６の室外側の表面には、その中央部において、見込み面に平行なＬ字部材７２が、室外方向に突出するように設けられている。また、板状部材５６の室内側の表面には、その中央部において、操作部材であるつまみ５５が室内方向に突出するように設けられている。つまみ５５、板状部材５６、Ｌ字部材７２は、一体に形成されていてもよい。
【００２３】
第二歯車群８０は、大歯車８２、及び小歯車８４を備え、これら二つの歯車は互いに共有する軸８５に固定されている。第三歯車群９０は、鍵片５２、扇状大歯車９２、及び扇状小歯車９４を備え、これら鍵片５２、扇状大歯車９２、及び扇状小歯車９４は、互いに共有する軸９５に固定されている。扇状大歯車９２と、鍵片５２の内周側扇状の部位とは略同一平面上に配置されている。一方、扇状小歯車９４は、これら扇状大歯車９２と、鍵片５２の内周側扇状の部位より、室内側から見て、右側に隣接して配置されている。また、扇状大歯車９２と扇状小歯車９４とは、軸９５を中心とする扇形状の径方向に関して、約３０〜４５°位相がずれて配置されている。
【００２４】
図９は、施錠状態の鍵本体５０をカバー５９を取り外して、図１の開口部装置の右側から見た図である。図５ｂに表されている施錠状態と同様に操作部材であるつまみ５５は、下方に引き下げられており、これに伴って、鍵片５２が室外方向に突出している。以下に、図６〜８に示される開錠状態から、図９の施錠状態にいたる開口部装置１００の動作を説明する。
【００２５】
図５ａの状態のつまみを下方に移動すると、第一歯車７０が下方向に移動し、この第一歯車７０と噛み合っている小歯車８４が回転する。これより、この小歯車８４と同軸に固定された大歯車８２が同方向に回転する。開錠状態では、大歯車８２は、扇状小歯車９４と噛み合っており、大歯車８２の回転に伴って、扇状小歯車９４が逆方向に回転する。扇状小歯車９４の回転に伴って、鍵片５２が内召合わせ框２２内から室外方向へ突出していく。鍵片５２が突出するように、第三歯車群９０が回転していくと、やがて大歯車８２と扇状小歯車９４との噛み合いが解かれるとともに、図９に示すように、小歯車８４が扇状大歯車９２と噛み合うようになる。これにより、小歯車８４の回転に伴って、扇状大歯車９２がこれとは逆方向に回転して、鍵片５２を係合部６２にさらに押し込んでいく。
【００２６】
すなわち、本発明における第一歯車列とは、第一歯車７０、小歯車８４、大歯車８２、及び扇形小歯車９４からなる歯車列をいう。また、第二歯車列とは、第一歯車７０、小歯車８４、及び扇形大歯車９２からなる歯車列のことである。
【００２７】
このように、本発明の開口部装置においては、鍵片５２を内召合わせ框２２内から突出させる際には、減速比の小さな第一歯車列により動力を伝達させるので、鍵片５２が、鍵受け６０の係合部６２に到達するまでは、つまみ５５の下方向への移動に伴って、素早く鍵片５２を突出させていく。その後、鍵片５２が係合部６２に到達して、鍵片５２を係合部６２に押し込む段階においては、減速比の大きな第二歯車列に切り替えてこれにより動力を伝達させる。よって、大きな力によって、鍵片５２により鍵受け６０の係合部６２を室内側に引き寄せ、外障子３０を内障子２０側に引き寄せて、開口部装置１００の気密性および水密性を高めるというクレセント錠の機能を発揮することができる。
【００２８】
また、つまみ５５は内召し合わせ框の室内側の面２６に沿って上下に操作すれば良く、操作性、意匠性が向上する。さらに、歯車列によりつまみの操作力を伝達するので、施錠装置をコンパクトにまとめることができる。
【００２９】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３０】
【図１】本発明の一実施態様の開口部装置を室内側から見た斜視図である。
【図２】図１において、施錠装置の箇所を拡大して示した斜視図である。
【図３】内召合わせ框を室外方向から見た斜視図である。
【図４】外召合わせ框を室内方向から見た斜視図である。
【図５ａ】図２において、開錠状態における蓋材を開けた状態を示した図である。
【図５ｂ】図２において、施錠状態における蓋材を開けた状態を示した図である。
【図６】開錠状態の鍵本体を図１の開口部装置の左から見た側面図である。
【図７】カバーを取った、開錠状態の鍵本体を図５ａの右から見た側面図である。
【図８】カバーを取った、開錠状態の鍵本体を図５ａの左から見た側面図である。
【図９】カバーを取った、施錠状態の鍵本体を図５ｂの右から見た側面図である。
【符号の説明】
【００３１】
１０  枠体
２０  内障子
２２  内召し合わせ框
３０  外障子
３２  外召し合わせ框
５０  鍵本体
５５  操作部材（つまみ）
６０  鍵受け
７０  第一歯車
８０  第二歯車群
８２  大歯車
８４  小歯車
９２  扇形大歯車
９４  扇形小歯車
【図１】
2006118135.tif 000003
【図２】
2006118135.tif 000004
【図３】
2006118135.tif 000005
【図４】
2006118135.tif 000006
【図５ａ】
2006118135.tif 000007
【図５ｂ】
2006118135.tif 000008
【図６】
2006118135.tif 000009
【図７】
2006118135.tif 000010
【図８】
2006118135.tif 000011
【図９】
2006118135.tif 000012